(57)【特許請求の範囲】
【請求項１】
ＧＭＳＫ（Gaussian filtered Minimum Shift Keying）によって変調されている信号により通信を行う第１の無線通信システムの信号を受信する第１の帯域選択回路と、
符号多重拡散方式によって変調されている信号により通信を行う第２の無線通信システムの信号を受信する第２の帯域選択回路と、
前記第２の無線通信システムの信号を受信する第３の帯域選択回路と、
前記第１の無線通信システムの信号を受信する第４の帯域選択回路と、
前記第１の帯域選択回路からの出力信号あるいは前記第３の帯域選択回路からの出力信号を択一的に復調する第１の復調回路と、
前記第２の帯域選択回路からの出力信号あるいは前記第４の帯域選択回路からの出力信号を択一的に復調する第２の復調回路と
を具備し、
第１の無線通信システムの信号を第１の帯域選択回路で受信し、受信されたこの信号を第１の復調回路で復調するか、あるいは、第２の無線通信システムの信号を第２の帯域選択回路で受信し、受信されたこの信号を第２の復調回路で復調するように動作することを第１の動作状態とし、
第１の無線通信システムの信号を第１の帯域選択回路で受信し、受信されたこの信号を第１の復調回路で復調し、かつ、第２の無線通信システムの信号を第２の帯域選択回路で受信し、受信されたこの信号を第２の復調回路で復調するように動作することを第２の動作状態とし、
第２の無線通信システムの信号を第３の帯域選択回路で受信し、受信されたこの信号を第１の復調回路で復調し、かつ、第２の無線通信システムの信号を第２の帯域選択回路で受信し、受信されたこの信号を第２の復調回路で復調するように動作することを第３の動作状態とし、
第１の無線通信システムの信号を第１の帯域選択回路で受信し、受信されたこの信号を第１の復調回路で復調し、かつ、第１の無線通信システムの信号を第４の帯域選択回路で受信し、受信されたこの信号を第２の復調回路で復調するように動作することを第４の動作状態とし、
前記第１、第２、第３及び第４の動作状態を択一的に取り得ることを特徴とする信号復調回路。
【請求項２】
前記帯域選択回路は、周波数特性が異なる組み合わせの複数のフィルタを具備して、このフィルタが切り替えられることにより制限される帯域が変更されることを特徴とする請求項１記載の信号復調回路。
【請求項３】
前記第１及び第２の復調回路は、受信した信号を直接、ゼロＩＦ信号または低周波ＩＦ信号に変換し、これらのゼロＩＦ信号または低周波ＩＦ信号をアナログ−ディジタル変換器に入力してディジタル信号処理をすることを特徴とする請求項１又は２記載の信号復調回路。
【請求項４】
前記第１及び第２の復調回路は、前記ゼロＩＦ信号あるいは前記低周波ＩＦ信号の周波数を選択するためのフィルタをさらに具備し、このフィルタの周波数特性を、受信する無線通信システムに合わせて変更することを特徴とする請求項３記載の信号復調回路。
【請求項５】
請求項１乃至請求項４のいずれかに記載の信号復調回路を具備する無線通信端末。
【請求項６】
前記第１の復調回路は、信号の帯域及び信号の利得を変更して、前記第３の帯域選択回路からの出力信号を入力して第２の無線通信システムの信号を復調することを特徴とする請求項１記載の信号復調回路。
【発明の詳細な説明】
【０００１】
【発明の属する技術分野】
この発明は、２つ以上の異なるディジタル移動無線システムが提供するサービスエリア内でそれらの無線システムの基地局が送信する信号を復調する信号復調路および信号復調方法に関する。
【０００２】
【従来の技術】
このようなディジタル移動無線システムとしては、ＥＴＳＩ（European Telecommunications Standards Institute）が制定するＧＳＭ（Global System for Mobile Communication）や、３ＧＰＰ（3rd Generation Partnership Project）が制定するＵＭＴＳ（Universal Mobile Telecommunications System）などがある。
【０００３】
従来のこのような移動無線システムでの無線通信端末は、図１０のように構成されている。この無線通信端末は、３つの通信帯域を使用して通信することができるものである。すなわち、ＧＳＭ９００と呼ばれる通信帯域と、ＧＳＭ１８００と呼ばれる通信帯域と、ＵＭＴＳと呼ばれる通信帯域を使用して通信することができるものである。すなわち、図１０を参照すると、ＧＳＭ９００で通信する場合は、アンテナ１から受信した信号をスイッチ２のａを経由して、バンドパスフィルタ５−１でＧＳＭ９００の通信帯域内の受信信号のみを選択する。その後、低雑音増幅器５―２でこれ以降の信号処理に適するレベルまで信号を増幅する。受信信号は、受信復調部５−６で、周波数変換、チャネル選択、直交復調および信号増幅などの処理が施され、ベースバンド信号処理部６に出力される。ＧＳＭ１８００で通信する場合は、アンテナ１から受信した信号をスイッチ２のｃを経由して、バンドパスフィルタ５−３でＧＳＭ１８００の通信帯域内の受信信号のみを選択する。その後は、上述したＧＳＭ９００の場合と同様である。ＵＭＴＳで通信する場合は、アンテナ１から受信した信号をスイッチ２のｅを経由して、デュプレクサ７に入力して、低雑音増幅器５−７でこれ以降の信号処理に適するレベルまで信号が増幅される。そして、バンドパスフィルタ５−８でＵＭＴＳの通信帯域内の受信信号のみが選択される。その後、受信信号は、受信復調部５−９で、周波数変換、チャネル選択、直交復調および信号増幅などの処理が施され、ベースバンド信号処理部６に出力される。送信する場合は、ＧＳＭ９００、ＧＳＭ１８００およびＵＭＴＳの通信帯域を有する信号が送信高周波部４からそれぞれスイッチ２のｂ，ｄおよびデュプレクサ７に出力される。そして、アンテナ１から信号が送信される。
【０００４】
また、この無線通信端末では、２つの変調方式によって通信することができる。すなわち、ＧＳＭ９００とＧＳＭ１８００とでは、ＧＭＳＫ（Gaussian filtered Minimum Shift Keying）で通信され、ＵＭＴＳではＣＤＭＡ（Code Division Multiple Access）で通信される。また、ＧＳＭ９００とＧＳＭ１８００はＴＤＤ（Time Division Duplex）のシステムであり、ＵＭＴＳはＦＤＤ（Frequency Division Duplex）のシステムである。
【０００５】
【発明が解決しようとする課題】
この従来の無線通信端末の信号復調回路は、ＧＳＭ９００、ＧＳＭ１８００およびＵＭＴＳのいずれかのシステムの信号を受信するため、一つのアンテナから入力される信号を切り替えることによって、いずれかのシステムの信号を受信するように構成されているので、２つ以上のシステムの信号を同時に受信することはできない。すなわち、それぞれのシステムに対応する受信復調部を択一的にしか動作させることができない。
【０００６】
上述したように従来の無線通信端末では、３つのシステムによって通信をするために、一つのアンテナを切り替えて通信するようになっているので、２つのシステムの信号を同時に受信することができない。したがって、２つのシステム間でハンドオーバを実行することが不可能である。
【０００７】
また、一つのシステムの信号を受信している場合でも、空間ダイバーシチ受信をすることができず、強いフェージングなどがかかっている受信環境下では、充分な受信感度を得ることが難しい。
【０００８】
そこで、上述した従来の技術に鑑み、この発明の目的は、異なる通信システムからの無線信号を同時に受信するための信号復調回路および信号復調方法を提供することにある。
【０００９】
この発明のほかの目的は、強いフェージングを受けている場合でも良好な受信感度を得ることができる信号復調回路および信号復調方法を提供することにある。
【００１０】
【課題を解決するための手段】
上記目的を達成するためにこの発明に係る信号復調回路は、
ＧＭＳＫ（Gaussian filtered Minimum Shift Keying）によって変調されている信号により通信を行う第１の無線通信システムの信号を受信する第１の帯域選択回路と、
符号多重拡散方式によって変調されている信号により通信を行う第２の無線通信システムの信号を受信する第２の帯域選択回路と、
前記第２の無線通信システムの信号を受信する第３の帯域選択回路と、
前記第１の無線通信システムの信号を受信する第４の帯域選択回路と、
前記第１の帯域選択回路からの出力信号あるいは前記第３の帯域選択回路からの出力信号を択一的に復調する第１の復調回路と、
前記第２の帯域選択回路からの出力信号あるいは前記第４の帯域選択回路からの出力信号を択一的に復調する第２の復調回路と
を具備し、
第１の無線通信システムの信号を第１の帯域選択回路で受信し、受信されたこの信号を第１の復調回路で復調するか、あるいは、第２の無線通信システムの信号を第２の帯域選択回路で受信し、受信されたこの信号を第２の復調回路で復調するように動作することを第１の動作状態とし、
第１の無線通信システムの信号を第１の帯域選択回路で受信し、受信されたこの信号を第１の復調回路で復調し、かつ、第２の無線通信システムの信号を第２の帯域選択回路で受信し、受信されたこの信号を第２の復調回路で復調するように動作することを第２の動作状態とし、
第２の無線通信システムの信号を第３の帯域選択回路で受信し、受信されたこの信号を第１の復調回路で復調し、かつ、第２の無線通信システムの信号を第２の帯域選択回路で受信し、受信されたこの信号を第２の復調回路で復調するように動作することを第３の動作状態とし、
第１の無線通信システムの信号を第１の帯域選択回路で受信し、受信されたこの信号を第１の復調回路で復調し、かつ、第１の無線通信システムの信号を第４の帯域選択回路で受信し、受信されたこの信号を第２の復調回路で復調するように動作することを第４の動作状態とし、
前記第１、第２、第３及び第４の動作状態を択一的に取り得ることを特徴とするものである。
【００１２】
【発明の実施の形態】
以下、図面を参照してこの発明の実施形態について説明する。
【００１３】
図１は、この実施形態の無線部（信号復調回路）を有する無線通信端末の機能ブロック図である。図２は、図１に示されるベースバンド信号処理部および第１の実施形態の無線部の機能ブロック図である。
【００１４】
従来例である図１０と同一部分は同一符号が付してあり、その動作は、図１０と同様である。図２において、１１はアンテナ、２ｃはアンテナ切替えスイッチである。
【００１５】
図２では、新たにアンテナ１１が設けられており、アンテナ１１はデュプレクサ７に接続されている。アンテナ切替えスイッチのａ，ｂ，ｃおよびｄは、制御部３０からの制御信号によって、どれか一つが導通状態になるように制御される。
【００１６】
まず、ＧＳＭ９００の信号を受信する場合を説明する。アンテナ１で受信した信号は、アンテナ切替えスイッチ２ｃのａを介してバンドパスフィルタ（ＢＰＦ）５−１に入力される。バンドパスフィルタ５−１に入力された信号は、ＧＳＭ９００システム受信帯域外の不要信号成分や雑音が減衰された後、低雑音増幅器５−２ｂに入力される。低雑音増幅器５−２ｂでこれ以降の信号処理に適するレベルまで増幅する。低雑音増幅器５−２ｂの出力信号は、受信復調部５−６ｂに入力される。この低雑音増幅器５−２ｂは制御部３０からの制御信号によって、動作／非動作の状態を制御される。また、受信信号は、受信復調部５−６ｂで、周波数変換、チャネル選択、直交復調および信号増幅などの処理が施される。直交復調は、シンセサイザ部３によって発振される局部発振信号を基に実行される。シンセサイザ部３は、制御部３０からの制御信号を受けて、送受信に必要な周波数の局部発振信号を発生し、それを受信高周波部５ｂに供給する。
【００１７】
ＧＳＭ９００による無線信号を受信するために必要なシンセサイザ部３から供給された局部発振信号は、９０度移相器５−６−１に入力される。９０度移相器５−６−１で互いに位相が９０度異なる信号が生成され、それらがそれぞれダウンコンバータ５−６−２ｂおよび５−６−３ｂに供給される。ダウンコンバータ５−６−２ｂおよび５−６−３ｂでは、低雑音増幅器５−２ｂおよび５−４ｂから入力された受信無線周波数信号が９０度移相器５−６−１の出力と混合されて、位相が直交する２つの受信ベースバンド信号へと周波数変換される。受信ベースバンド信号は、ローパスフィルタ（ＬＰＦ）５−６−４および５−６−５で受信チャネル以外の不要信号成分や雑音が除去される。不要信号成分や雑音が除去された受信信号は、可変利得増幅器５−６−６および５−６−７において制御部３０からの制御信号により指示された増幅率で所定のレベルまで増幅され、ベースバンド信号処理部６に出力される。なお、この図２では、ローパスフィルタと可変利得増幅器とが、それぞれ１段で示してあるが、必要に応じてこれらの回路が多数段縦続に接続されて構成されることもある。また、ローパスフィルタと可変利得増幅器の接続順序も必要に応じて変えることも可能である。
【００１８】
この実施形態では、ベースバンド帯に周波数変換するダイレクトコンバージョン方式（ゼロＩＦとも呼ばれる）またはローＩＦ（ｌｏｗ  ＩＦ（intermediate frequency）、ｎｅａｒ  ｚｅｒｏ  ＩＦ、または低周波ＩＦとも呼ばれる）方式によって周波数変換される。ダイレクトコンバージョン方式では、ＲＦ信号をＩＦ信号に変換せず、ローパスフィルタでフィルタリングするのみである。ローＩＦでは、一般に、数百ｋＨｚ程度の周波数オフセットを持たせて、ＤＣ成分が除去されて、信号が増幅される。
【００１９】
信号増幅処理後、ベースバンド信号処理部６に入力される。ベースバンド信号処理部６では、Ａ／Ｄ変換器（Ａ／Ｄコンバータともいう。analog-to-digital converter）６−１および６−２でディジタル信号に変換された後、通信に必要なディジタル信号処理がなされる。
【００２０】
Ａ／Ｄ変換器６−１，および６−２でディジタル信号に変換された信号は、モデム２１に入力される。そして、モデム２１でディジタル復調される。上記モデム２１から出力された復調信号は制御部３０に入力される。この復調信号は、無線基地局からの符号化された送信信号である。
【００２１】
上記復調信号である符号化送信信号は、所定のフォーマットのデータ信号または音声信号である。受信信号が画像データ信号である場合には、マルチメディア処理部４３にその画像データ信号が入力される。そして、マルチメディア処理部４３で画像復号化処理され、画像データ信号が伸張される。受信信号が音声信号である場合には、オーディオ部３１を介して、スピーカ３２から音声が出力される。
【００２２】
キー入力部３５は、ユーザが無線通信端末を操作するために使用される。たとえば、着信を受けた時に特定のボタンが押下される。ほかに、送信をユーザが開始する場合では、電話番号を入力するために使用される。
【００２３】
電源部５０は、無線通信端末に電力を供給する。この電源部５０には、リチウムイオン電池等のバッテリ５３と、このバッテリを充電するための充電部５２と、その充電部５２に電力を供給するための充電アダプタ５１と、電圧を生成して、電圧を制御するための電源ＡＳＩＣ（application specific integrated circuit）とが設けられている。
【００２４】
一方、ＧＳＭ１８００の信号を受信する場合、アンテナ１で受信した信号は、アンテナ切替えスイッチ２ｃのｃを介してバンドパスフィルタ５−３に入力される。バンドパスフィルタ５−３に入力された信号は、ＧＳＭ１８００システム帯域外の不要信号成分や雑音が減衰された後、低雑音増幅器５−４ｂに入力される。この低雑音増幅器５−４ｂは、制御部３０からの制御信号によって、動作／非動作の状態が制御され、これ以降の信号処理に適するレベルまで増幅される。低雑音増幅器５−４ｂの出力信号は、受信復調部５−６ｂに入力される。受信復調部５−６ｂおよびベースバンド信号処理部６では、上述したＧＳＭ９００の場合と同様に処理される。
【００２５】
また、低雑音増幅器５−２ｂと低雑音増幅器５−４ｂとは、択一的に動作状態が切り替えられる。すなわち、ＧＳＭ９００の信号を受信している時には、ＧＳＭ１８００の信号を受信することはない、また、ＧＳＭ１８００の信号を受信している時には、ＧＳＭ９００の信号を受信することはないので、どちらかの低雑音増幅器のみを、受信する信号の帯域にしたがって、動作または非動作に設定すればよい。これによって、低雑音増幅器をすべて動作状態にしている場合に比較して、無線通信端末の消費電力を低消費電力にすることができる。
【００２６】
また、ＵＭＴＳの信号を受信する場合、アンテナ１１で受信した信号はデュプレクサ７で送信帯域と受信帯域とに周波数分離され、受信帯域の信号のみ低雑音増幅器５−７に伝えられる。受信信号は、低雑音増幅器５−７において、これ以降の信号処理に適するレベルまで増幅される。低雑音増幅器５−７は、制御部３０からの制御信号によって、動作／非動作の状態を制御する。低雑音増幅器５−７の出力信号は、バンドパスフィルタ５−８で、さらにＵＭＴＳ受信帯域外の不要信号成分や雑音が減衰された後、受信復調部５−９に入力される。受信復調部５−９に入力された信号は、周波数変換、チャネル選択、直交復調および信号増幅などの処理が施された後、ベースバンド信号処理部６に入力される。シンセサイザ部３から供給されたＵＭＴＳ受信に必要な局部発振信号は、９０度移相器５−９−１で互いに位相が９０度異なる信号となり、それらはそれぞれダウンコンバータ５−９−２および５−９−３に供給される。ダウンコンバータ５−９−２および５−９−３では、バンドパスフィルタ５−８の出力のＵＭＴＳ受信無線周波数信号が９０度移相器５−９−１の出力と混合されて、位相が直交する２つのベースバンド信号へと変換される。ローパスフィルタ５−９−４および５−９−５で、受信チャネル以外の不要信号成分や雑音が除去される。可変利得増幅器５−９−６および５−９−７では、制御部３０からの制御信号により指示された増幅率でローパスフィルタ５−９−４および５−９−５の出力が、所定のレベルまで増幅され、ベースバンド信号処理部６に出力される。ベースバンド信号処理部６では、Ａ／Ｄ変換器でディジタル信号に変換された後、通信に必要なディジタル信号処理がなされる。その後は、上述したＧＳＭ９００の場合と同様の処理が実行される。
【００２７】
受信復調部５−６ｂと同様に、受信復調部５−９もその構成の一例を示したものであり、装置に適用される構成はこの他にも様々な変形が考えられる。
【００２８】
以上のような構成になっているので、ＵＭＴＳの信号を受信しつつ、同時にＧＳＭ９００の信号、あるいはＧＳＭ１８００の信号を受信することが可能になる。
【００２９】
ＧＳＭとＵＭＴＳとの２系統の受信復調経路を独立に動作させることができるので、変調方式が異なる２つのシステムの信号を同時に受信復調することができるようになる。
【００３０】
したがって、たとえば、２つのシステム間でハンドオーバをおこなう場合にも、同時に２つのシステムの信号を復調できるので、途中で、通信が途切れることなく、スムースに２つのシステム間でハンドオーバをおこなうことができる。
【００３１】
図３は、図２に示される低雑音増幅器５−２ｂおよび５−４ｂの出力部の一例を示す回路図である。
【００３２】
図３において、５１および５２は信号入力端子、５３は信号出力端子、５４は電源端子、５５は接地端子、５６および５７は制御端子、５０１，５０２，５０３および５０４はトランジスタ、５０５および５０６は定電流源、５０７および５０８は負荷素子である。
【００３３】
信号入力端子５１は、トランジスタ５０１および５０２のベースに接続されており、トランジスタ５０１および５０２のエミッタは互いに接続され、かつ、定電流源５０５に接続されている。また、信号入力端子５２は、トランジスタ５０３および５０４のベースに接続されており、トランジスタ５０３および５０４のエミッタは互いに接続され、かつ、定電流源５０６に接続されている。
【００３４】
トランジスタ５０１および５０３のコレクタは互いに接続され、かつ、負荷素子５０７の一端に接続されている。トランジスタ５０２および５０４のコレクタは互いに接続され、かつ、負荷素子５０８の一端に接続されている。負荷素子５０７および５０８のもう一端は、電源端子５４に接続されており、トランジスタ５０１，５０２，５０３および５０４のコレクタに必要なバイアス電圧を与えている。また、図示されていないが、各入力端子５１および５２もトランジスタ５０１，５０２，５０３および５０４が動作するのに必要な入力バイアス電圧が印加されている。定電流源５０５は制御端子５６により、動作／非動作の状態が制御され、定電流源５０６は制御端子５７により、動作／非動作の状態が制御される。
【００３５】
信号入力端子５１に入力された信号を増幅し伝達する場合は、定電流源５０５を動作状態にし、定電流源５０６を非動作状態にすれば、トランジスタ５０１および５０２が差動増幅器として動作し、トランジスタ５０３および５０４のコレクタは高インピーダンスとなるので、入力端子５１から入力された信号のみを信号出力端子５３に出力信号として得ることができる。また、信号入力端子５２に入力された信号を増幅し伝達する場合には、定電流源５０６を動作状態にし、定電流源５０５を非動作状態にすれば、トランジスタ５０３および５０４が差動増幅器として動作し、トランジスタ５０１および５０２のコレクタは高インピーダンスとなるので、入力端子５２から入力された信号のみを信号出力端子５３に出力信号として得ることができる。
【００３６】
低雑音増幅器出力部をこのような構成にすれば、図１０のスイッチ５−５のようなスイッチ回路を設けなくても低雑音増幅器５−２ｂおよび５−４ｂの出力を選択的に受信復調部５−６ｂに入力することができる。
【００３７】
図２中の低雑音増幅器５−２ｂおよび５−４ｂは差動出力の低雑音増幅器である。低雑音増幅器５−２ｂおよび５−４ｂの出力は互いに結線されて、差動で受信復調部５−６ｂに入力される。受信復調部５−６ｂの５−６−２ｂおよび５−６−３ｂは差動入力のダウンコンバータである。入力が差動である他は、その動作は５−６−２および５−６−３と同様である。
【００３８】
低雑音増幅器５−２ｂおよび５−４ｂは制御部３０からの制御信号により、動作／非動作が制御されている。ＧＳＭ９００の信号を受信している時には、低雑音増幅器５−２ｂが動作状態となり、低雑音増幅器５−４ｂは非動作状態となる。ＧＳＭ１８００の信号を受信する場合には、低雑音増幅器５−４ｂが動作状態となり、低雑音増幅器５−２ｂが非動作状態となるように制御される。
【００３９】
図４および図５を参照して、ＧＳＭとＵＭＴＳとの２つのシステム間でハンドオーバが実行される場合の動作を説明する。図４は、ＧＳＭおよびＵＭＴＳのシステムの複数のサービスエリアを示した概念図である。図５は、移動局と、異なるシステムに対応する基地局との通信動作を示す。
【００４０】
無線通信端末の送信電力は、ＵＭＴＳシステムに比較してＧＳＭシステムの方が大きいので、一般的にＵＭＴＳのサービスエリアに比較してＧＳＭのサービスエリアの方が大きい。また、ＧＳＭは、すでに広範囲でサービスがサポートされている。ＵＭＴＳが導入される場合は、その導入初期はＧＳＭのサービスエリアの中に、スポット的にＵＭＴＳのサービスエリアが存在するような構成になることが予想される。
【００４１】
図４に示すように、ＧＳＭのサービスエリアＧ１の中に、ＵＭＴＳのサービスエリアＵ１、Ｕ２、Ｕ３およびＵ４が存在している。
【００４２】
無線通信端末（ＵＥ）は、ＵＭＴＳの基地局Ｕ１およびＧＳＭの基地局Ｇ１のサービスエリア圏内にあり、ＵＭＴＳおよびＧＳＭのサービスを受けることができる。ここで、無線通信端末は、ＵＭＴＳのサービスを優先的に受けるようにユーザによって設定されているとする。
【００４３】
無線通信端末は、ＵＭＴＳによって通信しながら、図４の右の方向に移動して行き、ＵＭＴＳのサービスエリアから出ることになる（図４の斜線部分付近）。この時、ＵＭＴＳからＧＳＭへのシステム間のハンドオーバを実行すれば、無線通信端末と基地局との間での通信を維持することが可能である。
【００４４】
通信中の基地局から遠くなり受信レベルが低くなる場合、または通信トラフィックが増加して通信品質が劣化した場合でも、ハンドオーバが可能であれば、ハンドオーバを実行して通信を維持する。
【００４５】
図５を参照して、無線通信端末ＵＥとＵ１およびＧ１等の基地局との間でのハンドオーバの際の動作について説明する。
【００４６】
ハンドオーバに備えて、無線通信端末は、基地局Ｕ１との間で通信を維持しながら、近隣セルの受信信号強度を検出する（ＳＴ−１）。無線通信端末は、各基地局固有のＦＣＣＨ（Frequency Correction Channel：ＦＣＣＨは、ＢＣＣＨキャリア周波数を通知するための信号。この信号は無線通信端末と基地局との間で同期をとるために使用される。）をスキャンして、強く電波を受信できた周波数のリストを作成する（ＳＴ−２）。
【００４７】
つぎに、無線通信端末は、基地局Ｕ１との間で通信を継続しながら、ＦＣＣＨを強く受信することができた周波数のＳＣＨ（Synchronization Channel：基地局へのフレーム同期をとるための信号）を受信して、システムとの間で“ｐｒｅ−ｓｙｎｃｈｒｏｎｉｚａｔｉｏｎ”を取る。そして、ＢＣＣＨ（Broadcast Control Channel：サービスエリアＩＤ、および最大出力などのセル内情報を含む信号）を受信して、基地局ＩＤ等の基地局情報を獲得する。この結果、無線通信端末は、基地局Ｇ１との同期を確立する（ＳＴ−３）。
【００４８】
ステップＳＴ−４では、無線通信端末は基地局Ｕ１との間で通信をしながら、先に受信した周辺基地局（この例では、基地局Ｇ１）の情報を基地局Ｕ１に状況をレポートする。このレポートを受けた基地局Ｕ１は、状況を分析し、無線通信端末をハンドオーバさせた方が良いと判断した場合には、ハンドオーバ先の基地局Ｇ１との間でハンドオーバのネゴシエーションを実行する。このネゴシエーションでは、基地局Ｕ１と基地局Ｇ１との間で、ハンドオーバを実行するための情報が交換される。
【００４９】
ステップＳＴ−５では、無線通信端末が基地局Ｇ１との間でハンドオーバの準備が完了すると、基地局Ｕ１は、無線通信端末に対して基地局Ｇ１に移行するようにハンドオーバを指示する。
【００５０】
ステップＳＴ−６では、基地局Ｕ１がステップＳＴ−４でのハンドオーバネゴシエーションによって獲得したオーバラップ情報を無線通信端末に供給して、無線通信端末は、基地局Ｇ１との間で新たに通信を開始する。
【００５１】
以上、ステップＳＴ−１からステップＳＴ−６までで通信は途切れることなく継続される。このように、ＧＳＭシステムとＵＭＴＳシステムとが同時に受信されれば、ユーザにスムースなハンドオーバを提供することができる。
【００５２】
図６は、図１に示されるベースバンド信号処理部および第２の実施形態の無線部である。図２と同様な部分には同一符号が付してあり、それらの動作は、図２と同様である。
【００５３】
図６では、図２に比べて、バンドパスフィルタ７１、低雑音増幅器５−７１、バンドパスフィルタ５−８１、およびバッファアンプ５−７２からなる信号経路と、スイッチ５−１０とが新たに設けられている。
【００５４】
ＧＳＭ９００またはＧＳＭ１８００の信号を受信する場合は、図２を参照して説明した場合と同様の動作をし、その信号を復調するために必要な局部発振信号は、シンセサイザ部３から供給される。シンセサイザ部３への出力と受信復調部５−６ｄの局部発振信号入力端子との間には、スイッチ５−１０が設けられている。スイッチ５−１０は、図１に示される制御部３０からの制御信号により、ＧＳＭ９００またはＧＳＭ１８００受信に必要な局部発振信号を受信復調部５−６ｄへ供給するように制御される。
【００５５】
ＵＭＴＳの信号を受信する場合は、一つの信号経路としては、図２と同様に、アンテナ１１、デュプレクサ７、低雑音増幅器５−７、バンドパスフィルタ５−８および受信復調部５−９からなる信号経路を動作させ、ＵＭＴＳの復調信号をベースバンド信号処理部６に出力する。さらに、図６の場合は、もう一つの信号経路として、アンテナ１、アンテナ切替えスイッチ２、バンドパスフィルタ７１、低雑音増幅器５−７１、バンドパスフィルタ５−８１、バッファアンプ５−７２および受信復調部５−６ｄの経路を通じてＵＭＴＳ信号を受信することができるように設定されている。すなわち、アンテナ１で受けた信号をアンテナ切替えスイッチ２のｅを介してバンドパスフィルタ７１に入力し、バンドパスフィルタ７１でＵＭＴＳシステム受信帯域外の不要信号成分や雑音を減衰させた後、低雑音増幅器５−７１に入力する。低雑音増幅器５−７１で、これ以降の信号処理に適するレベルまで増幅し、バンドパスフィルタ５−８１で更にＵＭＴＳ受信帯域外の不要信号成分や雑音を減衰させる。バンドパスフィルタ５−８１の出力をバッファアンプ５−７２を介して、受信復調部５−６ｄに入力する。受信信号は受信復調部５−６ｄで、周波数変換、チャネル選択、直交復調および信号増幅などの処理を施された後、ベースバンド信号処理部６に入力される。ベースバンド信号処理部６では、Ａ／Ｄ変換器６−１および６−２でディジタル信号に変換された後、通信に必要なディジタル信号処理が実行される。
【００５６】
また、低雑音増幅器５−７１およびバッファアンプ５−７２は制御部３０からの指示により、動作／非動作の状態を切り替えられるように設定されている。さらに、低雑音増幅器５−７１およびバッファアンプ５−７２と、低雑音増幅器５−２ｂと、低雑音増幅器５−４ｂとは、択一的に動作状態になるように制御部３０によって制御される。すなわち、低雑音増幅器５−２ｂが動作している時は、低雑音増幅器５−４ｂ、低雑音増幅器５−７１およびバッファアンプ５−７２は非動作に設定される。低雑音増幅器５−４ｂが動作している時は、低雑音増幅器５−２ｂ、低雑音増幅器５−７１およびバッファアンプ５−７２は非動作に設定される。また、低雑音増幅器５−７１およびバッファアンプ５−７２が動作している時は、低雑音増幅器５−２ｂおよび低雑音増幅器５−４ｂは非動作に設定される。
【００５７】
受信復調部５−６ｄは、制御部３０からの制御信号により、そのチャネル選択周波数帯域が制御できるようになっている。すなわち、ＧＳＭ９００やＧＳＭ１８００の信号を受信する場合は、ＧＳＭ受信に適する周波数帯域となるように制御され、ＵＭＴＳの信号を受信する場合は、ＵＭＴＳ受信に適する周波数帯域となるように周波数特性が制御される。
【００５８】
以上のように、図６では、ＵＭＴＳ信号を受信するのに、２系統の信号パスを独立に動作させることができる。
【００５９】
このことにより、次の５通りの動作形態が実現可能である。
【００６０】
１．アンテナ１で受けたＧＳＭ９００あるいはＧＳＭ１８００信号のみを受信復調する。
【００６１】
２．アンテナ１で受けたＵＭＴＳ信号のみを受信復調する。
【００６２】
３．アンテナ１１で受けたＵＭＴＳ信号のみを受信復調する。
【００６３】
４．アンテナ１で受けたＧＳＭ９００あるいはＧＳＭ１８００信号を受信復調するのと同時にアンテナ１１で受けたＵＭＴＳ信号を受信復調する。
【００６４】
５．アンテナ１１で受けたＵＭＴＳ信号と、アンテナ１で受けたＵＭＴＳ信号とを同時に受信復調する。
【００６５】
ＵＭＴＳ信号を受信するのと同時に、ＧＳＭ９００あるいはＧＳＭ１８００信号を受信できることは、図２の構成でも可能であったが、図６の構成では、さらに、アンテナ１とアンテナ１１との２つのアンテナで受けたＵＭＴＳ信号を同時に受信復調することが可能となっている。
【００６６】
同一の通信方式による電波を２つのアンテナで受信することができるので、フェージングがかかったような受信環境下で、２つのアンテナの受信電界強度が、独立に時間的に変化する場合、独立に復調した信号を合成することにより、良好な受信性能を得ることができる。
【００６７】
図７は、図６に示される受信復調部５−６ｄを構成するローパスフィルタ５−６−４ｄおよび５−６−５ｄの周波数特性を受信システムによって切り替える方法の一例を示したブロック図である。
【００６８】
図７において、５−６−４１、５−６−４２、５−６−４３および５−６−４４はローパスフィルタ、５−６−８１、５−６−８２、５−６−８３および５−６−８４はスイッチである。その他の部分は、図２の受信復調部５−６ｂと同様な機能のものであり、同一部分には同一符号を付してある。
【００６９】
シンセサイザ部３から供給された局部発振信号は、９０度移相器５−６−１に入力され、９０度移相器５−６−１で互いに位相が９０度異なる信号が生成される。それらの位相が異なる信号がそれぞれダウンコンバータ５−６−２ｂおよび５−６−３ｂに供給される。ダウンコンバータ５−６−２ｂおよび５−６−３ｂでは、受信無線周波数信号が９０度移相器５−６−１の出力信号と混合されて、位相が直交する２つのベースバンド信号へと変換される。ＧＳＭ９００あるいはＧＳＭ１８００の信号を受信復調する場合は、スイッチ５−６−８１、５−６−８２、５−６−８３および５−６−８４をｑ側に接続する。これにより、ダウンコンバータ５−６−２ｂの出力は、ローパスフィルタ５−６−４１を通って、可変利得増幅器５−６−６へ伝えられる。また、ダウンコンバータ５−６−３ｂの出力は、ローパスフィルタ５−６−４３を通って、可変利得増幅器５−６−７へ伝えられる。ローパスフィルタ５−６−４１および５−６−４３は、ＧＳＭのチャネル選択フィルタであり、ＧＳＭ受信チャネル帯域外の不要な信号成分や雑音を除去する。
【００７０】
ＵＭＴＳの信号を受信復調する場合は、スイッチ５−６−８１、５−６−８２、５−６−８３および５−６−８４をｒ側に接続する。これにより、ダウンコンバータ５−６−２ｂの出力は、ローパスフィルタ５−６−４２を通って、可変利得増幅器５−６−６へ伝えられ、ダウンコンバータ５−６−３ｂの出力は、ローパスフィルタ５−６−４４を通って、可変利得増幅器５−６−７へ伝えられる。ローパスフィルタ５−６−４２および５−６−４４はＵＭＴＳのチャネル選択フィルタで、ＵＭＴＳ受信チャネル帯域外の不要な信号成分や雑音を除去する。スイッチ５−６−８１、５−６−８２、５−６−８３および５−６−８４は、制御部３０から供給される制御信号によって切り替えられる。スイッチ５−６−８３および５−６−８４の出力の信号は、可変利得増幅器５−６−６および５−６−７でこの後の信号処理に適するレベルまで、増幅される。
【００７１】
なお、一例として、ローパスフィルタや可変利得増幅器はそれぞれ１段で示したが、複数段組み合わせて、所望の周波数特性、信号レベルを得られるようにローパスフィルタ５−６−４１、５−６−４２、５−６−４３および５−６−４４と、可変利得増幅器５−６−６および５−６−７との構成を変形することは可能である。
【００７２】
図８は、図１に示されるベースバンド信号処理部６および第３の実施形態の無線部の機能ブロック図である。図２および図６と同一部分には同一符号が付してあり、それらの動作は、図２および図６と同様である。図８において、５−１１および５−３１はバンドパスフィルタ、５−２１および５−４１は低雑音増幅器、５−１０ｆはスイッチである。
【００７３】
図８では、図２に比べて、バンドパスフィルタ５−１１および低雑音増幅器５−２１からなる信号経路と、バンドパスフィルタ５−３１および低雑音増幅器５−４１からなる信号経路と、スイッチ５−１０ｆとが新たに設けられている。
【００７４】
ＵＭＴＳの信号を受信する場合は、アンテナ１１、アンテナ切替えスイッチ２ｆ、デュプレクサ７、低雑音増幅器５−７、バンドパスフィルタ５−８、バッファアンプ５−７３および受信復調部５−９ｆからなる経路を動作させ、ＵＭＴＳ信号を復調する。その信号を復調するのに必要な局部発振信号は、シンセサイザ部３から供給される。シンセサイザ部３の出力と受信復調部５−９ｆの局部発振信号入力端子との間には、スイッチ５−１０ｆが設けられており、制御部３０からの制御信号により、ＵＭＴＳを受信する時には、スイッチ５−１０ｆをｐ側に接続するよう制御し、ＵＭＴＳを受信するために必要な局部発振信号を受信復調部５−９ｆへ供給する。
【００７５】
ＧＳＭ９００の信号を受信する場合、一つの信号経路としては、図２と同様に、アンテナ１、アンテナ切替えスイッチ２ｃ、バンドパスフィルタ５−１、低雑音増幅器５−２ｂおよび受信復調部５−６ｂからなる信号経路を動作させ、ＧＳＭ９００の復調信号をベースバンド信号処理部６に伝える経路がある。さらに、図８の場合は、もう一つのＧＳＭ９００信号経路として、アンテナ１１、アンテナ切替えスイッチ２ｆ、バンドパスフィルタ５−１１、低雑音増幅器５−２１および受信復調部５−９ｆからなる経路を動作させることができる。アンテナ１１で受けた信号をアンテナ切替えスイッチ２ｆのｋを介してバンドパスフィルタ５−１１に入力し、バンドパスフィルタ５−１１でＧＳＭ９００受信帯域外の不要信号成分や雑音を減衰させた後、低雑音増幅器５−２１に入力する。低雑音増幅器５−２１において、これ以降の信号処理に適するレベルまで増幅し、受信復調部５−９ｆに入力する。受信信号は受信復調部５−９ｆで、周波数変換、チャネル選択、直交復調および信号増幅などの処理が施された後、ベースバンド信号処理部６に入力される。ベースバンド信号処理部６では、Ａ／Ｄ変換器でディジタル信号に変換された後、通信に必要なディジタル信号処理がなされる。
【００７６】
また、ＧＳＭ１８００の信号を受信する場合、１つの信号経路としては、図２と同様に、アンテナ１、アンテナ切替えスイッチ２ｃ、バンドパスフィルタ５−３、低雑音増幅器５−４および受信復調部５−６ｂからなる信号経路を動作させ、ＧＳＭ１８００復調信号をベースバンド信号処理部６に伝える経路がある。さらに、図８の場合は、もう一つのＧＳＭ１８００の信号経路として、アンテナ１１、アンテナ切替えスイッチ２ｆ、バンドパスフィルタ５−３１、低雑音増幅器５−４１および受信復調部５−９ｆからなる経路を動作させることができる。アンテナ１１で受けた信号をアンテナ切替えスイッチ２ｆのｍを介してバンドパスフィルタ５−３１に入力し、バンドパスフィルタ５−３１でＧＳＭ１８００受信帯域外の不要信号成分や雑音を減衰させた後、低雑音増幅器５−４１に入力する。低雑音増幅器５−４１において、信号をこれ以降の信号処理に適するレベルまで増幅し、受信復調部５−９ｆに入力する。受信信号は受信復調部５−９ｆで、周波数変換、チャネル選択、直交復調および信号増幅などの処理を施された後、ベースバンド信号処理部６に入力される。ベースバンド信号処理部６では、Ａ／Ｄ変換器でディジタル信号に変換された後、通信に必要なディジタル信号処理がなされる。
【００７７】
また、低雑音増幅器５−２１および５−４１は、制御部３０からの指示により、動作／非動作の状態が切り替えられるようになっている。さらに、低雑音増幅器５−７およびバッファアンプ５−７３と、低雑音増幅器５−２１と、低雑音増幅器５−４１とは、択一的に動作状態になるように制御される。すなわち、低雑音増幅器５−２１が動作している時は、低雑音増幅器５−４１、低雑音増幅器５−７およびバッファアンプ５−７３は非動作である。低雑音増幅器５−４１が動作している時は、低雑音増幅器５−２１、低雑音増幅器５−７およびバッファアンプ５−７３は非動作である。また、低雑音増幅器５−７およびバッファアンプ５−７３が動作している時は、低雑音増幅器５−２１および５−４１は非動作である。
【００７８】
また、受信復調部５−９ｆは、制御部３０からの制御信号により、そのチャネル選択周波数帯域が制御できるようになっている。すなわち、ＧＳＭ９００やＧＳＭ１８００の信号を受信する場合は、ＧＳＭ受信に適する周波数帯域となるように制御され、ＵＭＴＳの信号を受信する場合は、ＵＭＴＳ受信に適する周波数帯域となるように、周波数特性が切り替えられる。
【００７９】
以上のように、図８に示された無線部では、ＧＳＭ９００信号あるいはＧＳＭ１８００信号を受信するために、２系統の信号パスを独立に動作させることができる。
【００８０】
このことにより、次の５通りの動作形態が実現可能である。
【００８１】
１．アンテナ１１で受けたＵＭＴＳ信号のみを受信する。
【００８２】
２．アンテナ１で受けたＧＳＭ９００あるいはＧＳＭ１８００信号のみを受信復調する。
【００８３】
３．アンテナ１１で受けたＧＳＭ９００あるいはＧＳＭ１８００信号のみを受信復調する。
【００８４】
４．アンテナ１１で受けたＵＭＴＳ信号を受信するのと同時に、アンテナ１で受けたＧＳＭ９００あるいはＧＳＭ１８００信号を受信復調する。
【００８５】
５．アンテナ１で受けたＧＳＭ９００あるいはＧＳＭ１８００信号と、アンテナ１１で受けたＧＳＭ９００あるいはＧＳＭ１８００信号を同時に受信復調する。
【００８６】
アンテナ１とアンテナ１１の２つのアンテナで受けたＧＳＭ９００あるいはＧＳＭ１８００信号を同時に受信復調することが可能となっている。すなわち、ＧＳＭ９００で通信しながらＧＳＭ１８００の信号をモニタすることも、ＧＳＭ１８００で通信しながらＧＳＭ９００の信号をモニタすることも容易にできる。
【００８７】
また、ＧＳＭシステムの信号を２つのアンテナで受信することができるので、フェージングがかかった受信環境下でも、ＧＳＭのシステムにおいて、空間ダイバーシチをおこなうことにより、良好な受信性能を得ることができるようになる。
【００８８】
また、ＧＳＭとＵＭＴＳとの２系統の受信復調経路を独立に動作させることができるので、変調方式が異なる２つのシステムの信号を同時に受信復調することができるようになる。
【００８９】
したがって、第１の実施形態に説明したように、２つのシステム間でハンドオーバをおこなう際にも、同時に２つのシステムの信号を復調できるので、途中で、通信が途切れることなく、スムースに２つのシステム間でハンドオーバをおこなうことができる。
【００９０】
図９は、図１に示されるベースバンド信号処理部および第４の実施形態の無線部の機能ブロック図である。図６や図８と同一部分には同一符号が付してあり、それらの動作は、図６および図８と同様である。
【００９１】
この実施形態では、ＵＭＴＳの信号を受信復調する場合、２つの信号経路を独立に取ることが可能である。一つの受信経路は、アンテナ１１、アンテナ切替えスイッチ２ｆ、デュプレクサ７、低雑音増幅器５−７、バンドパスフィルタ５−８、バッファアンプ５−７３および受信復調部５−９ｆからなる受信信号パスである。もう一つの受信経路は、アンテナ１、アンテナ切替えスイッチ２、バンドパスフィルタ７１、低雑音増幅器５−７１、バンドパスフィルタ５−８１、バッファアンプ５−７２および受信復調部５−６ｄからなる受信信号パスである。
【００９２】
また、図９において、ＧＳＭ９００信号を受信復調する場合も、２つの信号経路を独立に取ることが可能である。一つの経路は、アンテナ１、アンテナ切替え２、バンドパスフィルタ５−１、低雑音増幅器５−２および受信復調部５−６ｄからなる受信信号パスである。もう一つの受信経路は、アンテナ１１、アンテナ切替えスイッチ２ｆ、バンドパスフィルタ５−１１、低雑音増幅器５−２１および受信復調部５−９ｆからなる受信信号パスである。
【００９３】
さらにまた、図９において、ＧＳＭ１８００信号を受信復調する場合も、２つの信号経路を独立に取ることが可能である。一つ受信経路は、アンテナ１、アンテナ切替えスイッチ２、バンドパスフィルタ５−３、低雑音増幅器５−４および受信復調部５−６ｄからなる受信信号パスで、もう一つの受信経路は、アンテナ１１、アンテナ切替えスイッチ２ｆ、バンドパスフィルタ５−３１、低雑音増幅器５−４１および受信復調部５−９ｆからなる受信信号パスである。
【００９４】
シンセサイザ部３は、それぞれのシステムの信号復調に必要な局部発振信号を受信復調部５−６ｄおよび５−９ｆに供給する。
【００９５】
受信復調部５−６ｄにＧＳＭ９００あるいはＧＳＭ１８００信号を復調するのに必要な局部発振信号を供給する際には、スイッチ５−１０をｈ側に接続する。また、受信復調部５−６ｄにＵＭＴＳ信号を復調するのに必要な局部発振信号を供給する際には、スイッチ５−１０をｉ側に接続する。
【００９６】
受信復調部５−９ｆにＧＳＭ９００あるいはＧＳＭ１８００信号を復調するために必要な局部発振信号を供給する際には、スイッチ５−１０ｆをｎ側に接続する。また、受信復調部５−９ｆにＵＭＴＳ信号を復調するのに必要な局部発振信号を供給する際には、スイッチ５−１０ｆをｐ側に接続する。
【００９７】
スイッチ５−１０とスイッチ５−１０ｆとは、制御部３０からの制御信号により独立に制御される。
【００９８】
なお、図９の構成にあたり、デュプレクサ７とバンドパスフィルタ７１の位置を交換することも可能である。
【００９９】
以上のように構成することにより、図９に示される無線部では、次の８通りの動作形態が実現可能である。
【０１００】
１．アンテナ１で受けたＧＳＭ９００あるいはＧＳＭ１８００信号のみを受信復調する。
【０１０１】
２．アンテナ１で受けたＵＭＴＳ信号のみを受信復調する。
【０１０２】
３．アンテナ１１で受けたＧＳＭ９００あるいはＧＳＭ１８００信号のみを受信復調する。
【０１０３】
４．アンテナ１１で受けたＵＭＴＳ信号のみを受信復調する。
【０１０４】
５．アンテナ１で受けたＧＳＭ９００あるいはＧＳＭ１８００信号を受信復調するのと同時に、アンテナ１１で受けたＵＭＴＳ信号を受信する。
【０１０５】
６．アンテナ１で受けたＵＭＴＳ信号を受信復調するのと同時に、アンテナ１１で受けたＧＳＭ９００あるいはＧＳＭ１８００信号を受信復調する。
【０１０６】
７．アンテナ１で受けたＧＳＭ９００あるいはＧＳＭ１８００信号と、アンテナ１１で受けたＧＳＭ９００あるいはＧＳＭ１８００信号を同時に受信復調する。
【０１０７】
８．アンテナ１１で受けたＵＭＴＳ信号と、アンテナ１で受けたＵＭＴＳ信号とを同時に受信復調する。
【０１０８】
ＧＳＭシステムおよびＵＭＴＳシステムの信号のいずれをも２つのアンテナで受信することもできるので、フェージングがかかった受信環境下でも、ＧＳＭのシステムおよびＵＭＴＳシステムのいずれにおいても、空間ダイバーシチをおこなうことにより、良好な受信性能を得ることができるようになる。
【０１０９】
また、ＧＳＭとＵＭＴＳとの２系統の受信復調経路を独立に動作させることができるので、変調方式が異なる２つのシステムの信号を同時に受信復調することができるようになる。
【０１１０】
したがって、第１の実施形態に説明したように、２つのシステム間でハンドオーバをおこなう際にも、同時に２つのシステムの信号を復調できるので、途中で、通信が途切れることなく、スムースに２つのシステム間でハンドオーバをおこなうことができる。
【０１１１】
以上説明したように、この実施形態では、２つの給電点を持つアンテナを備え、一方の給電点をＧＳＭ９００システムおよびＧＳＭ１８００システムで通信する場合の接続端子となるように、もう一方の給電点をＵＭＴＳシステムで通信する場合のアンテナ接続端子となるように構成される。
【０１１２】
また、本来ＧＳＭ９００およびＧＳＭ１８００の信号を受信するために動作させていた受信復調部の前段に、新たにＵＭＴＳシステム受信帯域のローパスフィルタと低雑音増幅器とが追加される。
【０１１３】
また別の場合では、本来ＵＭＴＳの信号を受信するために動作させていた方の受信復調部の前段に、新たにＧＳＭ９００システム受信帯域のローパスフィルタと低雑音増幅器、およびＧＳＭ１８００システム受信帯域のローパスフィルタと、低雑音増幅器とが追加される。
【０１１４】
この実施形態によれば、ＧＳＭ９００あるいはＧＳＭ１８００で通信する場合のアンテナと、ＵＭＴＳで通信する場合のアンテナとが別の点に接続されているので、ＧＳＭ９００あるいはＧＳＭ１８００の信号を受信するのと同時に、ＵＭＴＳの信号を受信することができる。したがって、ＧＳＭとＵＭＴＳとの間でハンドオーバを実行することができる。
【０１１５】
また、ＵＭＴＳの信号を受信するために、２系統のＵＭＴＳ受信経路、すなわち、それぞれ２組のアンテナ、バンドパスフィルタ、低雑音増幅器および受信復調部を動作させることができ、空間ダイバーシチ受信が可能になるので、フェージングがかかった受信環境下でも良好な受信感度を得ることができる。
【０１１６】
同様のことがＧＳＭ９００およびＧＳＭ１８００にも適用できる。すなわち、ＧＳＭ９００あるいはＧＳＭ１８００の信号を受信するために、２系統のＧＳＭ受信経路、すなわち、それぞれ２組のアンテナ、バンドパスフィルタ、低雑音増幅器および受信復調部を動作させることができ、ＧＳＭ９００およびＧＳＭ１８００の信号を受信する場合でも空間ダイバーシチ受信が可能になるので、フェージングがかかった受信環境下でも良好な受信感度を得ることができる。
【０１１７】
【発明の効果】
以上説明したように、この発明による構成を用いれば、２系統の受信復調経路を独立に動作させることができるので、変調方式が異なる２つのシステムの信号を同時に受信復調することができるようになる。
【０１１８】
このことにより、たとえば、２つのシステム間でハンドオーバをおこなう場合にも、同時に２つのシステムの信号を復調できるので、途中で、通信が途切れることなく、スムースに２つのシステム間でハンドオーバをおこなうことができる。
【０１１９】
また、２系統の受信復調経路で独立に同一周波数の信号を受信復調することができ、フェージングがかかったような受信環境の下でも空間ダイバーシチをおこなうことが可能となり、良好な受信性能を得ることができる。
【図面の簡単な説明】
【図１】この発明の実施形態に係る無線部を有する無線通信端末の構成を示す機能ブロック図である。
【図２】図１に示されるベースバンド信号処理部および無線部の第１の実施形態に対応する電気的接続を示す機能ブロック図である。
【図３】図２に示されるスイッチ内の電気的接続を示す回路図である。
【図４】ＧＳＭとＵＭＴＳとの２つのシステムのサービスエリアの分布が示され、そのサービスエリア内を図１に示される無線通信端末が移動する場合でのハンドオーバを説明する模式図である。
【図５】ＵＭＴＳシステムの基地局とＧＳＭシステムの基地局との間で図１に示される無線通信端末がハンドオーバを実行する場合の動作を説明する図である。
【図６】図１に示されるベースバンド信号処理部および無線部の第２の実施形態に対応する電気的接続を示す機能ブロック図である。
【図７】図６に示されるローパスフィルタの周波数特性を切り替えるための切り替え手段を具備した受信復調部の回路図を示す。
【図８】図１に示されるベースバンド信号処理部および無線部の第３の実施形態に対応する電気的接続を示す機能ブロック図である。
【図９】図１に示されるベースバンド信号処理部および無線部の第４の実施形態に対応する電気的接続を示す機能ブロック図である。
【図１０】従来の無線部およびモデム内のベースバンド信号処理部の電気的接続を示す機能ブロック図である。
【符号の説明】
１    アンテナ
２，２ｆ  アンテナ切替えスイッチ
３    シンセサイザ部
４    送信高周波部
５  受信高周波部
５−１，５−３，７１，５−８１，５−８，５−１１，５−３１  バンドパスフィルタ
５−２，５−４，５−７１，５−７２，５−７，５−７３，５−２１，５−４１  低雑音増幅器
５−６ｄ，５−９ｆ  受信復調部
５−６−１，５−９−１  ９０度移相器
５−６−２ｂ，５−６−３ｂ，５−９−２ｆ，５−９−３ｆ  ダウンコンバータ
５−６−４ｄ，５−６−５ｄ，５−９−４ｆ，５−９−５ｆ  ローパスフィルタ
５−６−６，５−６−７，５−９−６，５−９−７  可変利得増幅器
５−７２，５−７３  バッファアンプ
５−１０，５−１０ｆ  スイッチ
６    ベースバンド信号処理部
６−１，６−２，６−３，６−４  Ａ／Ｄ変換器
７    デュプレクサ
１１  アンテナ
【図１】
0005069391.tif 000002
【図２】
0005069391.tif 000003
【図３】
0005069391.tif 000004
【図４】
0005069391.tif 000005
【図５】
0005069391.tif 000006
【図６】
0005069391.tif 000007
【図７】
0005069391.tif 000008
【図８】
0005069391.tif 000009
【図９】
0005069391.tif 000010
【図１０】
0005069391.tif 000011